【事件の表示】
　特許第３２４８３９５号「給電線保持装置」の請求項１に係る特許に対する特許異議の申立てについて、次のとおり決定する。
【結　論】
　訂正を認める。
　本件特許異議の申立てを却下する。
【理　由】
第１．手続の経緯
　本件特許第３２４８３９５号の請求項１ないし８に係る発明は、平成７年６月４日の出願であって、平成１３年１１月９日に特許の設定登録がなされ、その後、佐藤喜久雄により請求項１に係る特許に対して特許異議の申立てがなされ、当審において取消理由通知がなされ、その指定期間内である平成１５年１月２１日に訂正請求がなされたものである。
　
第２．訂正の適否についての判断
１．訂正の内容
　訂正請求は、本件特許に係る願書に添付した明細書（以下「本件特許明細書」という。）を訂正請求書に添付した訂正明細書（以下「本件訂正明細書」という。）のとおり訂正することを求めるものであり、その訂正の内容は次のとおりである。
　
（１）訂正事項１
　特許請求の範囲を次のとおり訂正する。
「【請求項1】非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成り、
　前記給電線収容部に形成される開口部を塞ぐカバーを備えている
ことを特徴とする給電線保持装置。
　【請求項2】請求項１において、
　前記ハンガーの前記開口部の周囲に溝を形成し、前記カバーの一端を係合させるようにした
ことを特徴とする給電線保持装置。
　【請求項3】請求項２において、
　前記給電線収容部が、前記ハンガーの先端に形成された略Ｊ字状の凹部によって構成される
ことを特徴とする給電線保持装置。
　【請求項4】請求項３において、
　前記略Ｊ字状の凹部が形成された前記ハンガーの先端の上下の壁部に形成した溝に爪を係合させることによりカバーを装着した
ことを特徴とする給電線保持装置。
　【請求項5】請求項１ないし４のいずれかにおいて、
　前記カバーは、軸方向において前記ハンガーの長さより長く、両端に抜け止め用の突起を形成した
ことを特徴とする給電線保持装置。
　【請求項6】請求項１ないし５のいずれかにおいて、
前記ブラケットの両端に近い上下に延在する側壁に対称関係にテーパ部を形成して、傾けることにより前記ブラケットを移動線路に脱着自在に装着した
ことを特徴とする給電線保持装置。
　【請求項7】請求項３において、
前記略Ｊ字状の凹部が形成された前記ハンガーの先端に揺動可能に一体的に形成され、前記上部の開口部をカバーするカバーを備えている
ことを特徴とする給電線保持装置。
　【請求項8】非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成り、
前記ブラケットの両端に近い上下に延在する側壁に対称関係にテーパ部を形成して、傾けることにより前記ブラケットを移動線路に脱着自在に装着した
ことを特徴とする給電線保持装置。」
　
（２）訂正事項２
　本件特許明細書の段落【０００５】の「から成るものである。」（特許掲載公報２頁右欄６行）を、
「から成り、
　前記給電線収容部に形成される開口部を塞ぐカバーを備えている
ものである。」と訂正する。
　
(３)訂正事項３
　本件特許明細書の段落【０００６】の「前記給電線収容部に・・・備えている」（特許掲載公報２頁右欄８，９行）を、
「前記ハンガーの前記開口部の周囲に溝を形成し、前記カバーの一端を係合させるようにした」と訂正する。
　
(４)訂正事項４
　本件特許明細書の段落【０００７】の「前記ハンガーの・・・係合させるようにした」（特許掲載公報２頁右欄１２〜１４行）を、
　「前記給電線収容部が、前記ハンガーの先端に形成された略Ｊ字状の凹部によって構成される」と訂正する。
　
(５)訂正事項５
　本件特許明細書の段落【０００８】の「前記給電線収容部が、・・・構成される」（特許掲載公報２頁右欄１６〜１８行）を、
　「前記略Ｊ字状の凹部が形成された前記ハンガーの先端の上下の壁部に形成した溝に爪を係合させることによりカバーを装着した」と訂正する。
　
(６)訂正事項６
　本件特許明細書の段落【０００９】の「第４発明において、前記略Ｊ字状の凹部が形成・・・を装着した」（特許掲載公報２頁右欄２０〜２２行）を、
　「前記第１発明ないし第４発明のいずれかにおいて、
　前記カバーは、軸方向において前記ハンガーの長さより長く、両端に抜け止め用の突起を形成した」と訂正する。
　
(７)訂正事項７
　本件特許明細書の段落【００１０】の「第２発明ないし・・・突起を形成した」（特許掲載公報２頁右欄２５〜２７行）を、
　「第１発明ないし第５発明のいずれかにおいて、
　前記ブラケットの両端に近い上下に延在する側壁に対称関係にテーパ部を形成して、傾けることにより前記ブラケットを移動線路に脱着自在に装着した」と訂正する。
　
（８）訂正事項８
　本件特許明細書の段落【００１１】の「第１発明ないし・・・に脱着自在に装着した」（特許掲載公報２頁右欄３０〜３３行）を、
　「第３発明において、
　前記略Ｊ字状の凹部が形成された前記ハンガーの先端に揺動可能に一体的に形成され、前記上部の開口部をカバーするカバーを備えている」と訂正する。
　
（９）訂正事項９
　本件特許明細書の段落【００１２】の「前記第４発明において・・・するカバーを備えている」（特許掲載公報２頁右欄３６〜３９行）を、
　「非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成り、
　前記ブラケットの両端に近い上下に延在する側壁に対称関係にテーパ部を形成して、傾けることにより前記ブラケットを移動線路に脱着自在に装着した」と訂正する。
　
(１０)訂正事項１０
　本件特許明細書の段落【００１３】の「れるものである。」（特許掲載公報２頁右欄４９，５０行）を、
　「れるとともに、前記給電線収容部に形成される開口部をカバーによって塞がれているものである。」と訂正する。
　
（１１）訂正事項１１
　本件特許明細書の段落【００１４】の「開□部をカバー」（特許掲載公報３頁左欄９行）を、
　「前記開口部の周囲に形成された溝に、前記カバーの一端に係合させること」と訂正する。
　
（１２）訂正事項１２
　本件特許明細書の段落【００１５】の「ハンガー・・・前記凹部」（特許掲載公報３頁左欄１５行）を、
　「ハンガーの先端に形成された略Ｊ字状の凹部」と訂正する。
　
（１３)訂正事項１３
　本件特許明細書の段落【００１６】の「前記給電線収容部に・・・係合させることによって」（特許掲載公報３頁左欄２７〜２９行）を、
　「前記略Ｊ字状の凹部が形成された前記ハンガーの先端の上下の壁部に形成した溝に爪を係合させることにより前記カバーを装着することによって」と訂正する。
　
（１４）訂正事項１４
　本件特許明細書の段落【００１７】の「ているものである。」（特許掲載公報３頁左欄４１行）を、
　「ているものである。前記ハンガーの長さより長い前記カバーは、両端に突起が形成されているので、抜け止め作用があり、常に前記ハンガーに係止され前記給電線をカバーしているものである。」と訂正する。
　
（１５）訂正事項１５
　本件特許明細書の段落【００１８】の「前記ハンガーの・・・両端に」（特許掲載公報３頁右欄２、３行）を、
　「前記ブラケットは、その両端に近い上下に延在する側壁に対称関係にテーパ部が形成され、傾けることにより前記ブラケットを前記移動線路に脱着自在に装着されるものである。前記ハンガーの長さより長い前記カバーは、両端に」と訂正する。
　
（１６）訂正事項１６
　本件特許明細書の段落【００１９】の「前記ハンガーの先端・・・カバーしている」（特許掲載公報３頁右欄１４〜２２行）を、
　「前記ハンガーの先端に揺動可能に一体的に形成された前記カバーによって前記上部の開口部をカバーする」と訂正する。
　
（１７）訂正事項１７
　本件特許明細書の段落【００２０】の「前記ハンガーの・・・開口部をカバーする」（特許掲載公報３頁右欄３１〜３３行）を、
　「前記ハンガーの先端の上下の壁部に形成した溝に爪を係合させることにより前記カバーを装着することによって塞がれているものである。前記ブラケットは、その両端に近い上下に延在する側壁に対称関係にテーパ部が形成され、傾けることにより前記ブラケットを前記移動線路に脱着自在に装着されるものである。前記ハンガーの長さより長い前記カバーは、両端に突起が形成されているので、抜け止め作用があり、常に前記ハンガーに係止され前記給電線をカバーしている」と訂正する。
　
（１８）訂正事項１８
　本件特許明細書の段落【００２１】の「保持することが出来るという効果を奏する。」（特許掲載公報３頁右欄４４行）を、
　「保持することが出来るという効果を奏することに加え、前記給電線収容部に形成される開口部をカバーによって塞がれているので、前記給電線が確実に前記給電線収容部に保持されるという効果を奏する。」と訂正する。
　
（１９）訂正事項１９
　本件特許明細書の段落【００２２】の「開口部をカバー・・・給電線が確実に」（特許掲載公報３頁右欄４７，４８行）を、
　「前記開口部の周囲に形成された溝に、前記カバーの一端に係合させることによって塞がれているので、前記給電線が一層確実に」と訂正する。
　
（２０）訂正事項２０
　本件特許明細書の段落【００２３】の「前記給電線収容部に・・・保持される」（特許掲載公報４頁左欄１〜５行）を、
　「前記ブラケットの横方向に突設されたハンガーの先端に形成された略Ｊ字状の凹部によって構成される前記給電線収容部に、前記給電線が収容保持されるものであるため、前記給電線の収容が容易であり、前記給電線の下部を支持するので確実に保持することが出来る」と訂正する。
　
（２１）訂正事項２１
　本件特許明細書の段落【００２４】の「前記ブラケットの横・・・ことが出来る」（特許掲載公報４頁左欄７〜１２行）を、
　「前記略Ｊ字状の凹部が形成された前記ハンガーの先端の上下の壁部に形成した溝に爪を係合させることにより前記カバーを装着することによって塞がれているので、前記給電線収容部を確実にカバーし、前記給電線を確実に保持する」と訂正する。
　
（２２）訂正事項２２
　本件特許明細書の段落【００２５】の「前記第４発明の・・・前記給電線収容部を」（特許掲載公報４頁左欄１４〜１７行）を、
　「前記第１発明ないし前記第４発明のいずれかの効果に加え、前記ハンガーの長さより長い前記カバーが、両端に突起が形成されているので、抜け止め作用があり、常に前記ハンガーに係止され前記給電線を」と訂正する。
　
（２３）訂正事項２３
　本件特許明細書の段落【００２６】の「前記第２発明・・・前記給電線を確実に保持する」（特許掲載公報４頁左欄２１〜２５行）を、
　「前記第１発明ないし前記第５発明のいずれかの効果に加え、前記ブラケットが、その両端に近い上下に延在する側壁に対称関係にテーパ部が形成され、傾けることにより前記ブラケットを前記移動線路に脱着自在に装着されるので、前記ブラケットの装着および脱着が容易である」と訂正する。
　
（２４）訂正事項２４
　本件特許明細書の段落【００２７】の「前記第１発明・・・脱着が容易である」（特許掲載公報４頁左欄２８〜３３行）を、
　「前記第３発明の効果に加え、非接触給電設備における移動体の移動線路に沿って張設され、前記移動体のコイルに高周波電流を非接触で給電する給電線を保持する給電線保持装置において、前記移動線路に沿って設置された前記ブラケットの横方向に突設されたハンガーの先端に形成された略Ｊ字状の凹部によって構成される前記給電線収容部に、前記給電線が収容保持されるとともに、前記略Ｊ字状の凹部が形成された前記ハンガーの先端に揺動可能に一体的に形成された前記カバーによって前記上部の開口部をカバーするので、前記給電線収容部を確実にカバーし、前記給電線を確実に保持する」と訂正する。
　
（２５）訂正事項２５
　本件特許明細書の段落【００２８】の「前記第４発明の・・・確実に保持する」（特許掲載公報４頁左欄３５〜４５行）を、
　「前記移動線路に沿って設置された前記ブラケットの横方向に突設されたハンガーの一端に形成され、上部に開口部が形成されることにより収容される前記給電線の少なくとも下部を支持する前記凹部によって構成される前記給電線収容部に、前記給電線が収容され保持されるので、高所での前記給電線の敷設が容易であり、施工が容易で、施工時間を短縮するという効果を奏するとともに、前記給電線の下部を支持するので前記給電線を確実に保持することが出来るという効果を奏することに加え、前記ブラケットが、その両端に近い上下に延在する側壁に対称関係にテーパ部が形成され、傾けることにより前記ブラケットを前記移動線路に脱着自在に装着されるので、前記ブラケットの装着および脱着が容易である」と訂正する。
　
２．訂正の目的の適否、新規事項の有無及び特許請求の範囲の拡張・変更の存否
（１）訂正事項１
  訂正事項１は、本件特許明細書の特許請求の範囲の請求項１を削除し、残る請求項２ないし請求項８を形式的にのみ書き換えて、新たな請求項１ないし請求項８としたものである。
　具体的には、次のとおりである。
　ア．本件特許明細書における請求項１を削除した。
　イ．本件特許明細書における請求項２は、削除される請求項１を引用しているために、これを独立形式に書き換えて、新たな請求項１とした。
　ウ．本件特許明細書における請求項３は、請求項２を引用しているため、請求項２と同じ内容である新たな請求項１を引用する形式として、これを新たな請求項２とした。
  エ．本件特許明細書における請求項４は、請求項３を引用しているため、請求項３と同じ内容である新たな請求項２を引用する形式として、これを新たな請求項３とした。
  オ．本件特許明細書における請求項５は、請求項４を引用しているため、請求項４と同じ内容である新たな請求項３を引用する形式として、これを新たな請求項４とした。
  カ．本件特許明細書における請求項６は、請求項２ないし５を引用しているため、請求項２ないし５と同じ内容である新たな請求項１ないし４を引用する形式として、これを新たな請求項５とした。
　キ．本件特許明細書における請求項８は、請求項４を引用しているため、請求項４と同じ内容である新たな請求項３を引用する形式として、これを新たな請求項７とした。
　ク．本件特許明細書における請求項７は、請求項１ないし６を引用しているため、このうちで、請求項２ないし６を引用するものについては、これと同じ内容である新たな請求項１ないし５を引用する形式として、これを新たな請求項６とし、さらに、削除される請求項１を引用するものについては、これを独立形式に書き換えて、新たな請求項８とした。
　
　以上のとおり、訂正事項１は、請求項１を削除し、それに伴って、請求項２ないし８について構成事項を何ら変更することなく、記載形式のみを書き換えたものであることから、請求項１を削除する特許請求の範囲の減縮を目的とする訂正に該当し、新規事項の追加に該当せず、さらに、実質的に特許請求の範囲を拡張又は変更するものでもない。
　
（２）訂正事項２ないし２５
　訂正事項２ないし２５は、上記訂正事項１による訂正に伴って、発明の詳細な説明における「課題を解決するための手段」、「作用」及び「発明の効果」の記載を特許請求の範囲と整合させるためのもので、明りょうでない記載の釈明を目的とする訂正に該当し、新規事項の追加に該当せず、実質的に特許請求の範囲を拡張又は変更するものでもない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
第３．特許異議の申立てについて
１．申立ての理由の概要
　特許異議申立人は、本件特許の請求項１に係る発明は、その出願日前の特許出願である特願平６−２７３２５５号（特開平８−１４０３３１号）の願書に最初に添付された明細書又は図面に記載された発明と同一であるため、特許法第２９条の２の規定により特許を受けることができないものであって、請求項１に係る特許は、取り消されるべきであるとの主張をしている。
　
２．判断
　請求項１に係る発明は、訂正の結果削除され、特許異議の申立ての対象が存在しないので、この申立ては、不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１５年１月２９日（２００３．１．２９）
【訂正の要旨】
訂正事項
　▲１▼　特許第３２４８３９５号発明の明細書中の特許請求の範囲を訂正する。
　（イ）特許請求の範囲の請求項１ないし８において、もとの請求項１を削除し、以下項数を繰り上げ「１、２、３、４、５、６、７」と訂正するとともに、
　（ロ）特許請求の範囲のもとの請求項７（もとの請求項１ないし請求項６のいずれかを引用する）が包含するもとの請求項１の構成要件ともとの請求項７の構成要件との組み合わせに係る発明（もとの請求項７を訂正した訂正請求項６に包含されなくなった発明）を独立形式の請求項８として訂正するものである（クレーム対応表参照）。
　クレーム対応表
　▲２▼　特許第３２４８３９５号発明の明細書を、請求書に添付された訂正明細書のとおりに、
　すなわち
　（イ）明細書第３頁第２２行（特許３２４８３９５号公報第２頁第右欄第６行）の「から成るものである。」を
　「から成
り
　
前記給電線収容部に形成される開口部を塞ぐカバーを備えている
ものである。」と訂正する。
　（ロ）明細書第３頁第２６行（特許３２４８３９５号公報第２頁第右欄第８行および第９行）の「前記給電線収容部に・・・備えている」を
　「前記ハンガーの前記開口部の周囲に溝を形成し、前記カバーの一端を係合させるようにした」と訂正する。
　（ハ）明細書第４頁第２行および３行（特許３２４８３９５号公報第２頁第右欄第１２行ないし第１４行）の「前記ハンガーの・・・係合させるようにした」を
　「前記給電線収容部が、前記ハンガーの先端に形成された略Ｊ字状の凹部によって構成される」と訂正する。
　（ニ）明細書第４頁第８行および９行（特許３２４８３９５号公報第２頁第右欄第１６行ないし第１８行）の「前記給電線収容部が、・・・構成される」を
　「前記略Ｊ字状の凹部が形成された前記ハンガーの先端の上下の壁部に形成した溝に爪を係合させることによりカバーを装着した」と訂正する。
　（ホ）明細書第４頁第１４行および１５行（特許３２４８３９５号公報第２頁第右欄第２０行ないし第２２行）の「第４発明において、
　前記略Ｊ字状の凹部が形成・・・を装着した」を
　「前記第１発明ないし第４発明のいずれかにおいて、
　前記カバーは、軸方向において前記ハンガーの長さより長く、両端に抜け止め用の突起を形成した」と訂正する。
　（ヘ）明細書第４頁第１９行ないし２１行（特許３２４８３９５号公報第２頁第右欄第２５行ないし第２７行）の「第２発明ないし・・・突起を形成した」を
　「第
１
５
　前記ブラケットの両端に近い上下に延在する側壁に対称関係にテーパ部を形成して、傾けることにより前記ブラケットを移動線路に脱着自在に装着した」と訂正する。
　（ト）明細書第４頁第２５行ないし２７行（特許３２４８３９５号公報第２頁第右欄第３０行ないし第３３行）の「第１発明ないし・・・に脱着自在に装着した」を
　「第３発明において、
　前記略Ｊ字状の凹部が形成された前記ハンガーの先端に揺動可能に一体的に形成され、前記上部の開口部をカバーするカバーを備えている」と訂正する。
　（チ）明細書第５頁第２行ないし第４行（特許３２４８３９５号公報第２頁第右欄第３６行ないし第３９行）の「前記第４発明において・・・するカバーを備えている」を
　「非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成
り、
　
前記ブラケットの両端に近い上下に延在する側壁に対称関係にテーパ部を形成して、傾けることにより前記ブラケットを移動線路に脱着自在に装着した
　（リ）明細書第５頁第１４行（特許３２４８３９５号公報第２頁第右欄第４９行および第５０行）の「れるものである。」を
　「れる
とともに、前記給電線収容部に形成される開口部をカバーによって塞がれている
　（ヌ）明細書第５頁第２１行（特許３２４８３９５号公報第３頁第左欄第９行）の「開口部カバー」を
　「前記開口部の周囲に形成された溝に、前記カバーの一端に係合させること」と訂正する。
　（ル）明細書第５頁第２７行（特許３２４８３９５号公報第３頁第左欄第１５行）の「ハンガー・・・前記凹部」を
　「ハンガーの先端に形成された略Ｊ字状の凹部」と訂正する。
　（ヲ）明細書第６頁第８行および９行（特許３２４８３９５号公報第３頁第左欄第２７行ないし第２９行）の「前記給電線収容部に・・・係合させることによって」を
　「前記略Ｊ字状の凹部が形成された前記ハンガーの先端の上下の壁部に形成した溝に爪を係合させることにより前記カバーを装着することによって」と訂正する。
　（ワ）明細書第６頁第１８行（特許３２４８３９５号公報第３頁第左欄第４１行）の「ているものである。」を
　「ているものである。前記ハンガーの長さより長い前記カバーは、、両端に突起が形成されているので、抜け止め作用があり、常に前記ハンガーに係止され前記給電線をカバーしているものである。」と訂正する。
　（カ）明細書第６頁第２７行（特許３２４８３９５号公報第３頁第右欄第２行および第３行）の「前記ハンガーの・・・両端に」を
　「前記ブラケットは、その両端に近い上下に延在する側壁に対称関係にテーパ部が形成され、傾けることにより前記ブラケットを前記移動線路に脱着自在に装着されるものである。前記ハンガーの長さより長い前記カバーは、両端に」と訂正する。
　（ヨ）明細書第７頁第７行ないし１３行（特許３２４８３９５号公報第３頁第右欄第１４行ないし第２２行）の「前記ハンガーの先端・・・カバーしている」を
　「前記ハンガーの先端に揺動可能に一体的に形成された前記カバーによって前記上部の開口部をカバーする」と訂正する。
　（タ）明細書第７頁第２０行および２１行（特許３２４８３９５号公報第３頁第右欄第３１行ないし第３３行）の「前記ハンガーの・・・開口部をカバーする」を
　「
前記ハンガーの先端の上下の壁部に形成した溝に爪を係合させることにより前記カバーを装着することによって塞がれているものである。前記ブラケットは、その両端に近い上下に延在する側壁に対称関係にテーパ部が形成され、傾けることにより前記ブラケットを前記移動線路に脱着自在に装着されるものである。前記ハンガーの長さより長い前記カバーは、両端に突起が形成されているので、抜け止め作用があり、常に前記ハンガーに係止され前記給電線をカバーしている
　（レ）明細書第８頁第１行（特許３２４８３９５号公報第３頁第右欄第４４行）の「保持することが出来るという効果を奏する。」を
　「保持することが出来るという効果を奏する
ことに加え、
　（ソ）明細書第８頁第４行および５行（特許３２４８３９５号公報第３頁第右欄第４７行および第４８行）の「開口部をカバー・・・給電線が確実に」を
　「前記開口部の周囲に形成された溝に、前記カバーの一端に係合させることによって塞がれているので、前記給電線が一層確実に」と訂正する。
　（ツ）明細書第８頁第８行ないし１０行（特許３２４８３９５号公報第４頁第左欄第１行ないし第５行）の「前記給電線収容部に・・・保持される」を
　「前記ブラケットの横方向に突設されたハンガーの先端に形成された略Ｊ字状の凹部によって構成される前記給電線収容部に、前記給電線が収容保持されるものであるため、前記給電線の収容が容易であり、前記給電線の下部を支持するので確実に保持することが出来る」と訂正する。
　（ネ）明細書第８頁第１３行ないし１６行（特許３２４８３９５号公報第４頁第左欄第７行ないし第１２行）の「前記ブラケットの横・・・ことが出来る」を
　「前記略Ｊ字状の凹部が形成された前記ハンガーの先端の上下の壁部に形成した溝に爪を係合させることにより前記カバーを装着することによって塞がれているので、前記給電線収容部を確実にカバーし、前記給電線を確実に保持する」と訂正する。
　（ナ）明細書第８頁第１８行ないし２１行（特許３２４８３９５号公報第４頁第左欄第１４行ないし第１７行）の「前記第４発明の・・・前記給電線収容部を」を
　「前記第
１
４
　（ラ）明細書第８頁第２４行ないし２７行（特許３２４８３９５号公報第４頁第左欄第２１行ないし第２５行）の「前記第２発明・・・前記給電線を確実に保持する」を
　「前記第１発明ないし前記第
５
　（ム）明細書第９頁第１行ないし５行（特許３２４８３９５号公報第４頁第左欄第２８行ないし第３３行）の「前記第１発明・・・脱着が容易である」を
　「前記第
３
　（ウ）明細書第９頁第７行ないし１５行（特許３２４８３９５号公報第４頁第左欄第３５行ないし第４５行）の「前記第４発明の・・・確実に保持する」を
　「
前記移動線路に沿って設置された前記ブラケットの横方向に突設されたハンガーの一端に形成され、上部に開口部が形成されることにより収容される前記給電線の少なくとも下部を支持する前記凹部によって構成される前記給電線収容部に、前記給電線が収容され保持されるので、高所での前記給電線の敷設が容易であり、施工が容易で、施工時間を短縮するという効果を奏するとともに、前記給電線の下部を支持するので前記給電線を確実に保持することが出来るという効果を奏することに加え、前記ブラケットが、その両端に近い上下に延在する側壁に対称関係にテーパ部が形成され、傾けることにより前記ブラケットを前記移動線路に脱着自在に装着されるので、前記ブラケットの装着および脱着が容易である
（５４）【発明の名称】
給電線保持装置
（５７）【特許請求の範囲】
　【請求項１】　非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成
り、
　前記給電線収容部に形成される開口部を塞ぐカバーを備えている
ことを特徴とする給電線保持装置。
　【請求項
２
１
　前記ハンガーの前記開口部の周囲に溝を形成し、前記カバーの一端を係合させるようにした
ことを特徴とする給電線保持装置。
　【請求項
３
２
　前記給電線収容部が、前記ハンガーの先端に形成された略Ｊ字状の凹部によって構成される
ことを特徴とする給電線保持装置。
　【請求項
４
３
　前記略Ｊ字状の凹部が形成された前記ハンガーの先端の上下の壁部に形成した溝に爪を係合させることによりカバーを装着した
ことを特徴とする給電線保持装置。
　【請求項
５
１
４
　前記カバーは、軸方向において前記ハンガーの長さより長く、両端に抜け止め用の突起を形成した
ことを特徴とする給電線保持装置。
　【請求項
６
５
　前記ブラケットの両端に近い上下に延在する側壁に対称関係にテーパ部を形成して、傾けることにより前記ブラケットを移動線路に脱着自在に装着した
ことを特徴とする給電線保持装置。
　【請求項
７
３
　前記略Ｊ字状の凹部が形成された前記ハンガーの先端に揺動可能に一体的に形成され、前記上部の開口部をカバーするカバーを備えている
ことを特徴とする給電線保持装置。
　【請求項
８
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成
り、
　
前記ブラケットの両端に近い上下に延在する側壁に対称関係にテーパ部を形成して、傾けることにより前記ブラケットを移動線路に脱着自在に装着した
ことを特徴とする給電線保持装置。
【発明の詳細な説明】
　【０００１】
　【産業上の利用分野】
　本発明は、非接触給電設備における移動体の移動線路に沿って設置されたブラケットにおいて、その横方向に突設されたハンガーの一端に形成された凹部によって構成される給電線収容部に前記給電線を収容する給電線保持装置に関する。
　【０００２】
　【従来の技術】
　従来の給電線保持装置（特開平６−１５３３０５）は、図１０および図１１に示すように非接触給電設備における移動体の移動線路に沿って一定間隔置きに設置されたブラケットＢにおいて、水平突出部によって構成される２個のハンガーＨの先端中央部にスリットＳを形成し、複数のブラケットＢを連結する充分な長さを有するカバーＣの軸方向の開口部Ｏを介して予め給電線Ｗを収容した後重ね合わせた爪部Ｔを前記ハンガーＨの前記スリットＳ内に挿入することにより、前記給電線Ｗを保持するものであった。
　【０００３】
　【発明が解決しようとする課題】
　上記従来の給電線保持装置は、充分な長さを有する前記カバーＣの軸方向の開口部Ｏを介して予め重い前記給電線Ｗを収容した後、前記カバーＣの重ね合わせた前記爪部Ｔを前記ハンガーＨの前記スリットＳ内に挿入することにより、前記給電線Ｗを保持するものであるため、高所での前記給電線Ｗの敷設が大変であり、製作が困難であり、施工時間が長くなるという問題があった。
　【０００４】
　そこで本発明者は、非接触給電設備における移動体の移動線路に沿って設置されたブラケットにおいて、その横方向に突設されたハンガーの一端に形成された凹部によって構成される給電線収容部に前記給電線を収容するという本発明の技術的思想に着眼し、更に研究開発を重ねて、高所での前記給電線の敷設が容易であり、施工が容易で、施工時間を短縮するという目的を達成する本発明に到達した。
　【０００５】
　【課題を解決するための手段】
　本発明（請求項１に記載の第１発明）の給電線保持装置は、
　非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成
り、
　
前記給電線収容部に形成される開口部を塞ぐカバーを備えている
ものである。
　【０００６】
　本発明（請求項
２
２
　第
１
　前記ハンガーの前記開口部の周囲に溝を形成し、前記カバーの一端を係合させるようにした
ものである。
　【０００７】
　本発明（請求項
３
３
　第
２
　前記給電線収容部が、前記ハンガーの先端に形成された略Ｊ字状の凹部によって構成される
ものである。
　【０００８】
　本発明（請求項
４
４
　第
３
　前記略Ｊ字状の凹部が形成された前記ハンガーの先端の上下の壁部に形成した溝に爪を係合させることによりカバーを装着した
ものである。
　【０００９】
　本発明（請求項５に記載の第５発明）の給電線保持装置は、
　第
１
４
　前記カバーは、軸方向において前記ハンガーの長さより長く、両端に抜け止め用の突起を形成した
ものである。
　【００１０】
　本発明（請求項
６
６
　第１発明ないし第
５
　前記ブラケットの両端に近い上下に延在する側壁に対称関係にテーパ部を形成して、傾けることにより前記ブラケットを移動線路に脱着自在に装着した
ものである。
　【００１１】
　本発明（請求項
７
７
　第
３
　前記略Ｊ字状の凹部が形成された前記ハンガーの先端に揺動可能に一体的に形成され、前記上部の開口部をカバーするカバーを備えている
ものである。
　【００１２】
　本発明（請求項８に記載の第８発明）の給電線保持装置は、
　非接触給電設備における移動体の移動線路に沿って張設され、前記移動体のコイルに高周波電流を非接触で給電する給電線を保持する給電線保持装置において、
　前記移動線路に沿って設置され、横方向に突設されたハンガーを備えたブラケットと、
　前記ハンガーの一端に形成され、上部に開口部が形成されることにより収容される前記給電線の少なくとも下部を支持する凹部によって構成される給電線収容部と
から成
り、
　
前記ブラケットの両端に近い上下に延在する側壁に対称関係にテーパ部を形成して、傾けることにより前記ブラケットを移動線路に脱着自在に装着した
ものである。
　【００１３】
　【作用】
　上記構成より成る第１発明の給電線保持装置は、非接触給電設備における移動体の移動線路に沿って張設され、前記移動体のコイルに高周波電流を非接触で給電する給電線を保持する給電線保持装置において、前記移動線路に沿って設置された前記ブラケットの横方向に突設されたハンガーの一端に形成され、上部に開口部が形成されることにより収容される前記給電線の少なくとも下部を支持する前記凹部によって構成される前記給電線収容部に、前記給電線が収容され保持される
とともに、前記給電線収容部に形成される開口部をカバーによって塞がれている
　【００１４】
　上記構成より成る第
２
　【００１５】
　上記構成より成る第
３
　【００１６】
　上記構成より成る第
４
　【００１７】
　上記構成より成る第
５
　【００１８】
　上記構成より成る第
６
　【００１９】
　上記構成より成る第
７
　【００２０】
　
上記構成より成る第８発明の給電線保持装置は、非接触給電設備における移動体の移動線路に沿って張設され、前記移動体のコイルに高周波電流を非接触で給電する給電線を保持する給電線保持装置において、前記移動線路に沿って設置された前記ブラケットの横方向に突設されたハンガーの先端に形成された略Ｊ字状の凹部によって構成される前記給電線収容部に、前記給電線が収容保持されるとともに、前記略Ｊ字状の凹部が形成された前記ハンガーの先端の上下の壁部に形成した溝に爪を係合させることにより前記カバーを装着することによって塞がれているものである。前記ブラケットは、その両端に近い上下に延在する側壁に対称関係にテーパ部が形成され、傾けることにより前記ブラケットを前記移動線路に脱着自在に装着されるものである。前記ハンガーの長さより長い前記カバーは、両端に突起が形成されているので、抜け止め作用があり、常に前記ハンガーに係止され前記給電線をカバーしているものである。
　【００２１】
　【発明の効果】
　上記作用を奏する第１発明の給電線保持装置は、前記移動線路に沿って設置された前記ブラケットの横方向に突設されたハンガーの一端に形成され、上部に開口部が形成されることにより収容される前記給電線の少なくとも下部を支持する前記凹部によって構成される前記給電線収容部に、前記給電線が収容され保持されるので、高所での前記給電線の敷設が容易であり、施工が容易で、施工時間を短縮するという効果を奏するとともに、前記給電線の下部を支持するので前記給電線を確実に保持することが出来るという効果を奏する
ことに加え、
　【００２２】
　上記作用を奏する第
２
１
　【００２３】
　上記作用を奏する第
３
２
　【００２４】
　上記作用を奏する第
４
３
　【００２５】
　上記作用を奏する第
５
１
４
　【００２６】
　上記作用を奏する第
６
５
　【００２７】
　上記作用を奏する第
７
３
　【００２８】
　上記作用を奏する第
８
前記移動線路に沿って設置された前記ブラケットの横方向に突設されたハンガーの一端に形成され、上部に開口部が形成されることにより収容される前記給電線の少なくとも下部を支持する前記凹部によって構成される前記給電線収容部に、前記給電線が収容され保持されるので、高所での前記給電線の敷設が容易であり、施工が容易で、施工時間を短縮するという効果を奏するとともに、前記給電線の下部を支持するので前記給電線を確実に保持することが出来るという効果を奏することに加え、前記ブラケットが、その両端に近い上下に延在する側壁に対称関係にテーパ部が形成され、傾けることにより前記ブラケットを前記移動線路に脱着自在に装着されるので、前記ブラケットの装着および脱着が容易であるという効果を奏する
　【００２９】
　【実施例】
　以下本発明の実施例につき、図面を用いて説明する。
　【００３０】
　（第１実施例）
　第１実施例の給電線保持装置は、図１ないし図６に示すように非接触給電設備における移動体の移動線路２に沿って張設され、前記移動体のコイルに高周波電流を非接触で給電する給電線５を保持する給電線保持装置において、前記移動線路２に沿って一定間隔置きに設置され、横方向に突設された複数のハンガー３１、３２を備えたブラケット３と、前記ハンガー３１、３２の先端に形成され前記給電線５が収容される略Ｊ字状の凹部３１１、３２１によって構成される給電線収容部と、前記給電線収容部に形成される開口部を塞ぐカバー４と備えているものである。
　【００３１】
　前記給電線保持装置は、非接触給電設備における移動体の移動線路２を構成する誘導部レール体と、先端に給電線５を挿置する凹部３１１、３２１が形成され水平に突設した２個のハンガー３１、３２を備えた前記ブラケット３と、該ブラケットの先端に装着された前記カバー４によって構成される。
　【００３２】
　前記移動線路体２は、図１および図２に示すように水平上壁２１と水平下壁２２と該水平上壁２１と水平下壁２２とを連結する垂直壁２０とから成る略Ｈ字状の横断面の部材によって構成され、水平上壁の下面に前記垂直壁に平行な突起２３が長手方向に延在しているとともに、水平下壁の上面に前記垂直壁に平行な突起２４が長手方向に延在している。
　【００３３】
　前記ブラケット３は、図１および図２に示すように矩形の板状の基部３０と、先端に略Ｊ字状の凹部が形成され前記基部３０から水平に突設した２個のハンガー３１、３２とから成る略π字状の断面の部材によって構成される。
　【００３４】
　前記ブラケット３の基部３０は、上壁３０１および下壁３０２に近い上下に延在する側壁３０３、３０４に対称関係にテーパ部３０５、３０６を形成して、傾けることにより前記ブラケット３を一定間隔毎に前記移動線路体２の前記突起２３と前記垂直壁２０との間の隙間に脱着自在に装着される構成より成るものである。
　【００３５】
　前記ハンガー３１、３２は、図１および図３に示すように前記給電線５が挿置される略４分の３円状の凹部３１１、３２１が先端上部に形成されるとともに、先端部上下水平壁に前記カバーのツメ部が係合する溝部３１２、３２２が形成され、その他の部分には軽量化のための長円形の空洞が形成されている。
　【００３６】
　前記カバー４は、図５および図６に示すように円弧部４０と該円弧部４０の両端に対向間隔が徐々に狭くなるように配設され先端に前記ハンガー３１、３２の溝部３１２、３２２に係合するＶ字状の爪４１１、４２１を形成した上下の直線部４１、４２とから成る略Ｕ字状の横断面の軸方向において前記ハンガー３１、３２の長さより長い部材より成る。
　【００３７】
　前記Ｖ字状の爪４１１、４２１は、前記ハンガー３１、３２の先端の上下の壁部に形成した略台形状の溝部３１２、３２２と嵌め合いロック構造を構成し、前記給電線５を締め付け固定する構成より成る。
　【００３８】
　前記カバー４は、図６に示すように前記上下の直線部４１、４２の長手方向の両端片側に対称に直角方向に突出した突起４１２および４２２を形成して、前記ハンガー３１、３２に対して該カバー４を位置決めし、前記ハンガー３から該カバー４が長手方向に脱落するのを防止するとともに、前記給電線の長手方向のずれを阻止し得る構成より成る。
　【００３９】
　上記構成より成る第１実施例の給電線保持装置は、非接触給電設備における移動体の移動線路に沿って設置された前記移動線路体２の前記突起２３と前記垂直壁２０との間の隙間に一定間隔置きに前記ブラケット３の前記上壁３０１および下壁３０２が装着される。
　【００４０】
　前記移動線路体２に対して一定間隔置きに装着された前記ブラケット３から水平方向であって横方向に突設された複数のハンガー３１、３２の先端に形成された略Ｊ字状の凹部３１１、３２１によって構成される前記給電線収容部に、前記給電線５が収容保持される。
　【００４１】
　前記略Ｊ字状の凹部３１１、３２１が形成された前記ハンガー３１、３２の先端の上下の壁部に形成した溝部３１２、３２２に前記Ｖ字状の爪４１１、４２１を係合させることにより前記カバー４を装着することによって、前記略Ｊ字状の凹部３１１、３２１の上部の開口部を塞ぐとともに、前記給電線５を締め付け固定するものである。
　【００４２】
　前記ブラケット３は、その両端の上下壁３０１、３０２に近い上下に延在する側壁３０３、３０４に対称関係にテーパ部３０５、３０６が形成され、該ブラケット３を反時計方向に傾けることにより、前記ブラケット３を前記移動線路体２に脱着自在に装着されるのである。
　【００４３】
　前記ハンガー３１、３２の長さより長い前記カバー４は、、長手方向に両端に突起４１２、４２２が形成されているので、抜け止め作用があり、該カバー４は常に前記ハンガー３１、３２に係止され前記給電線５をカバーしているのである。
　【００４４】
　上記作用を奏する第１実施例の給電線保持装置は、前記移動線路に沿って前記移動線路体２に対して一定間隔置きに設置された前記ブラケット３の横方向に突設されたハンガー３１、３２の一端に形成された前記凹部３１１、３２１によって構成される前記給電線収容部に、前記給電線５が収容され保持されるので、給電線をカバーとハンガーによって所定間隔毎に支持して垂れることなく、高所での前記給電線５の敷設作業が容易であり、施工が容易であり、施工時間を大幅に短縮することが出来るという効果を奏する。
　【００４５】
　また第１実施例の給電線保持装置は、前記給電線収容部３１１、３２１に形成される開口部を前記カバー４によって塞がれているので、前記給電線５が確実に前記給電線収容部３１１、３２１に保持されるという効果を奏する。
　【００４６】
　さらに第１実施例の給電線保持装置は、前記給電線収容部３１１、３２１に形成される前記開口部の周囲に形成された前記溝３１２、３２２に、前記カバー４の一端に係合させることによって塞がれているので、前記給電線５が一層確実に前記給電線収容部３１１、３２１に保持されるとともに、施工時の前記給電線の垂れを防止するという効果を奏する。
　【００４７】
　また第１実施例の給電線保持装置は、前記ブラケット３の水平方向に突設された複数のハンガー３１、３２の先端に形成された略Ｊ字状の凹部３１１、３２１によって構成される受皿状の前記給電線収容部に、前記給電線５が収容保持して仮置きおよび仮配線出来るものであるため、ワンタッチで容易に敷設することができ、前記給電線５の収容および施工が容易であり、前記給電線５の下部を支持するので確実に保持することが出来るという効果を奏する。
　【００４８】
　さらに第１実施例の給電線保持装置は、前記略Ｊ字状の凹部３１１、３２１が形成された前記ハンガー３１、３２の先端の上下の壁部に形成した溝３１２、３２２に爪４１１、４２１を係合ロックさせることにより、前記カバー４を装着することによって塞ぐとともに前記給電線５を締付け固定するので、前記給電線収容部３１１、３２１を確実にカバーし、前記給電線５を確実に保持固定するという効果を奏する。
　【００４９】
　また第１実施例の給電線保持装置は、前記ハンガー３１、３２の長さより長い前記カバー４が、両端の片側に前記突起４１２、４２２が形成されているので、該カバー４の成形を容易にするとともに、抜け止め作用があり、常に前記ハンガー３１、３２に係止され前記給電線５を確実にカバーし、前記給電線５を長手方向に確実に保持固定するという効果を奏する。すなわち、前記給電線５の施工時に該給電線に張力が作用しても、カバー４の位置ずれが発生しない。
　【００５０】
　さらに第１実施例の給電線保持装置は、前記ブラケット３が、その両端の上下壁３０１、３０２に近い上下に延在する前記側壁３０３、３０４に対称関係に前記テーパ部３０５、３０６が形成され、反時計方向に傾けることにより前記ブラケット３を前記移動線路体２に脱着自在に装着されるので、前記ブラケット３の装着および脱着が容易であるという効果を奏する。
　【００５１】
　また第１実施例の給電線保持装置は、前記カバー４の取外しが容易であるため、前記移動線路２のレイアウト変更時にも新しい部品を容易したりする必要が無いという効果を奏する。
　【００５２】
　（第２実施例）
　第２実施例の給電線保持装置は、図７に示すように上述の第１実施例におけるハンガー３１および３２の前記給電線収容部を構成する略Ｊ字状の凹部３１１、３２１の開口部を塞ぐ様に薄肉で可撓性のカバー部３１３、３２３を付加した点が前記第１実施例との相違点である。
　【００５３】
　上記構成より成る第２実施例の給電線保持装置は、前記可撓性のカバー部３１３、３２３を開けて前記給電線５を前記給電線収容部を構成する略Ｊ字状の凹部３１１、３２１に挿置するもので、上記第１実施例と同様の効果を奏するとともに、カバー部３１３、３２３を前記ハンガー３１、３２に一体的に形成したので、別部品としてのカバー４を不要にするとともに、カバー４を装着する工数を不要にするので、コストおよび施工工数を低減するという効果を奏する。
　【００５４】
　（第３実施例）
　第３実施例の給電線保持装置は、図８に示すように上述の第１実施例におけるハンガー３１および３２の前記給電線収容部を構成する略Ｊ字状の凹部３１１、３２１を構成する壁部の先端を延長して上面に開口部が形成される様に薄肉で可撓性の先端部３１４、３２４を付加した点が前記第１実施例との相違点である。
　【００５５】
　上記構成より成る第３実施例の給電線保持装置は、前記給電線５を上方から下方に移動させることにより、前記可撓性の先端部３１４、３２４を開けて前記給電線収容部を構成する略Ｊ字状の凹部３１１、３２１に挿置するもので、上記第１実施例と同様の効果を奏するとともに、前記ハンガー３１、３２の先端上部に一体的に形成した先端部３１４、３２４によって、前記給電線５の脱落を防止して前記給電線の保持性を高めるという効果を奏する。
　【００５６】
　また第３実施例の給電線保持装置は、別部品としてのカバー４を不要にするとともに、カバー４を装着する工数を不要にするので、コストおよび施工工数を低減するという効果を奏する。
　【００５７】
　（第４実施例）
　第４実施例の給電線保持装置は、図９に示すように上述の第１実施例におけるハンガー３１および３２の前記給電線収容部を構成する略Ｊ字状の凹部３１１、３２１を構成する壁部の先端を若干上部に延長して上面に逆Ｖ字状の溝部３１１１、３２１１を形成するとともに、上面に形成される開口部３１１２、３２１２を塞ぐように先端に逆Ｖ字状の突起３１５１、３２５１を配設するとともに、中央部下部に直線平坦面３１５２、３２５２を配設したカバー部３１５、３２５を前記ハンガー３１、３２の肩部３１６、３２６に揺動可能に一体的に形成した点が前記第１実施例との相違点である。
　【００５８】
　上記構成より成る第４実施例の給電線保持装置は、前記カバー部３１５、３２５を時計方向に揺動させ、前記給電線５を上方から下方に移動させることにより、前記給電線収容部を構成する略Ｊ字状の凹部３１１、３２１内に挿置した後、前記カバー部３１５、３２５を反時計方向に揺動させて先端の逆Ｖ字状の突起３１５１、３２５１を前記逆Ｖ字状の溝部３１１１、３２１１に係合させるものである。
　【００５９】
　上記作用を奏する第４実施例の給電線保持装置は、上記第１実施例と同様の効果を奏するとともに、前記カバー部３１５、３２５の中央部下部に直線平坦面３１５２、３２５２を形成したので、先端の逆Ｖ字状の突起３１５１、３２５１を前記逆Ｖ字状の溝部３１１１、３２１１に係合させた時には、直線平坦面３１５２、３２５２が前記給電線を押圧固定し、長手方向のずれを防止するという効果を奏する。
　【００６０】
　また第４実施例の給電線保持装置は、先端の逆Ｖ字状の突起３１５１、３２５１を前記逆Ｖ字状の溝部３１１１、３２１１に係合させる前記カバー部３１５、３２５によって、前記給電線５を完全にカバーし、前記給電線５の脱落を確実に防止して前記給電線の保持性を一層高めるという効果を奏する。
　【００６１】
　さらに第４実施例の給電線保持装置は、別部品としてのカバー４を不要にするとともに、カバー４を装着する工数を不要にするので、コストおよび施工工数を低減するという効果を奏する。
　【００６２】
　上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
　【図１】
　本発明の第１実施例装置を示す断面図である。
　【図２】
　本第１実施例装置の一部を示す側面図である。
　【図３】
　本第１実施例装置のブラケットおよびハンガーを示す断面図である。
　【図４】
　本第１実施例装置のブラケットおよびハンガーを示す側面図である。
　【図５】
　本第１実施例装置のカバーを示す断面図である。
　【図６】
　本第１実施例装置のカバーを示す側面図である。
　【図７】
　本発明の第２実施例装置のハンガーを示す断面図である。
　【図８】
　本発明の第３実施例装置のハンガーを示す断面図である。
　【図９】
　本発明の第４実施例装置のハンガーを示す断面図である。
　【図１０】
　従来装置のブラケットおよびハンガーを示す断面図である。
　【図１１】
　従来装置のカバーを示す拡大断面図である。
　【符号の説明】
　３　ブラケット
　４　カバー
　５　給電線
　３１、３２　ハンガー
　３１１、３２１　略Ｊ字状の凹部